(57)【要約】【課題】ファン用電動機をファン室外に配設する構成において、外部から所定の吸込口以外の開口や隙間を介してファン室内に空気が流入することを防止する。【解決手段】ハウジング（11）内に区画形成されたファン室（12）の内部に配設されるファン（3）と、該ファン室（12）の外部に配設されてファン（3）を駆動するファン用電動機（6）とを備える空気調和装置（1）において、ハウジング（11）の左側面板（11c）の開口（17）に嵌め込まれることで、ファン側プーリ（32）と電動機側プーリ（62）との間に巻き掛けられたＶベルト（63）を収納するベルト室（16）をファン室（12）と隣接して区画形成するケーシング（7）を備えている。ケーシング（7）は、開口（17）の開口縁部に対してハウジング（11）の外方から当接するフランジ（713,713,…）を有する。フランジ（713,713,…）と開口（17）の開口縁部とに跨ってシール部材（8）が貼付される。【選択図】図１
2008008543.tif 000002
【特許請求の範囲】
【請求項１】
ハウジング（11）と、該ハウジング（11）内に区画形成されたファン室（12）の内部に配設されるファン（3）と、該ファン室（12）の外部に配設されて前記ファン（3）を駆動するファン用電動機（6）とを備える空気調和装置において、
前記ファン（3）の回転軸（31）の一端部及び前記ファン用電動機（6）の駆動軸（61）の一端部に設けられ、該ファン用電動機（6）の駆動力を該ファン（3）に伝える伝動機構（32,62,63）と、
前記ハウジング（11）に形成された開口（18b）に嵌め込まれることで前記ファン室（12）を仕切って、前記伝動機構（32,62,63）を収納する伝動機構収納室（16）を区画形成する本体部（71）と、該本体部（71）の外周に一体的に設けられて前記開口（18b）の開口縁部（18a）に対して前記ハウジング（11）の外方から当接するフランジ（713）とを有するケーシング（7）と、
前記フランジ（713）と前記開口縁部（18a）とに跨って貼付されるシール部材（8）とをさらに備えることを特徴とする空気調和装置。
【請求項２】
請求項１において、
前記ファン（3）の吸込側には、熱交換器（2）が設けられていることを特徴とする空気調和装置。
【請求項３】
請求項１又は２において、
前記ケーシング（7）の本体部（71）は、前記ハウジング（11）内方に凹陥し且つ該ハウジング（11）外方へ開口した箱形状をしており、
前記ケーシング（7）は、該本体部（71）の開口を塞ぐ蓋部材（72）をさらに有し、
前記蓋部材（72）は、前記シール部材（8）を前記フランジ（713）と挟持した状態で前記本体部（71）又はハウジング（11）に取り付けられることを特徴とする空気調和装置。
【発明の詳細な説明】
【技術分野】
【０００１】
本発明は、空気調和装置に関し、特に、ファン室内に配設されるファンとファン室外に配設されるファン用電動機とを備える空気調和装置に関するものである。
【背景技術】
【０００２】
従来より、ハウジング内に、ファンが配設されるファン室が区画形成された空気調和装置が知られている（特許文献１参照）。
【０００３】
特許文献１に係る空気調和装置では、ハウジング内に、ファン室と、ファン室と隣接し且つファン室と仕切られた機械室とが区画形成されている。この機械室には、圧縮器等の各種部品が配設される。この空気調和装置では、ファン室内においてファンの上流側に熱交換器が配設されており、ファンによって所定の吸込口からファン室内に吸い込んだ空気を熱交換器を通過させて熱交換した後、その空気を吹出口から吹き出している。このとき、ファン室と機械室とは仕切られているため、ファンを駆動しても機械室からファン室内へ空気が流入しない。
【０００４】
尚、特許文献１に係る空気調和装置では、ファンが該ファンを駆動するためのファン用電動機の駆動軸に取り付けられており、このファン用電動機もファン室内に配設されている。
【特許文献１】特開平２００３−１０６５７１号公報
【発明の開示】
【発明が解決しようとする課題】
【０００５】
ところで、前記特許文献１の空気調和装置では、前記ファン用電動機がファン室内に配設されているが、ファン用電動機が前記機械室内、即ち、ファン室の外部に配設される場合もある。かかる構成では、ファンの回転軸はファン室内に、ファン用電動機の駆動軸はファン室外に配置される。この場合、ファン室内に配置されるファンの回転軸とファン室外に配置されるファン用電動機の駆動軸とを、ベルト、チェーン又はギヤ列等で構成される伝動機構で駆動連結する必要がある。ファン用電動機の駆動軸とファンの回転軸とを各種伝動機構で連結するためには、ファン室と機械室とを仕切る仕切板に、ファン用電動機の駆動軸からファンの回転軸に亘って設けられる該伝動機構を配設するための挿通孔を形成する必要がある。
【０００６】
しかしながら、仕切板に挿通孔を形成すると、ファンを駆動して空気を吸い込む際に機械室から該挿通孔を介してファン室内へ空気が流入する。この挿通孔からファン室内へ流入した空気は熱交換器を通過しないため、ファンで吸い出す空気に対する熱交換を行った空気の量が低下し、つまり、熱交換量が低下してしまう。
【０００７】
本発明は、かかる点に鑑みてなされたものであり、その目的とするところは、ファン用電動機をファン室外に配設する構成において、外部から所定の吸込口以外の開口や隙間を介してファン室内に空気が流入することを防止することにある。
【課題を解決するための手段】
【０００８】
本発明は、ハウジング（11）に形成され且つファン室（12）に臨む開口（18b）にケーシング（7）を嵌め込むことで、該ケーシング（7）内に伝動機構（32,62,63）を収納する伝動機構収納部をファン室（12）と仕切って区画形成すると共に、ハウジング（11）の該開口（18b）の開口縁部（18a）と当接するフランジ（713）をケーシング（7）に設け、該フランジ（713）と該開口縁部（18a）とに跨ってシール部材（8）を貼付するようにしたものである。
【０００９】
第１の発明は、ハウジング（11）と、該ハウジング（11）内に区画形成されたファン室（12）の内部に配設されるファン（3）と、該ファン室（12）の外部に配設されて前記ファン（3）を駆動するファン用電動機（6）とを備える空気調和装置が対象である。そして、前記ファン（3）の回転軸（31）の一端部及び前記ファン用電動機（6）の駆動軸（61）の一端部に設けられ、該ファン用電動機（6）の駆動力を該ファン（3）に伝える伝動機構（32,62,63）と、前記ハウジング（11）に形成された開口（18b）に嵌め込まれることで前記ファン室（12）を仕切って、前記伝動機構（32,62,63）を収納する伝動機構収納室（16）を区画形成する本体部（71）と、該本体部（71）の外周に一体的に設けられて前記開口（18b）の開口縁部（18a）に対して前記ハウジング（11）の外方から当接するフランジ（713）とを有するケーシング（7）と、前記フランジ（713）と前記開口縁部（18a）とに跨って貼付されるシール部材（8）とをさらに備えるものとする。
【００１０】
前記の構成の場合、前記伝動機構収納室（16）を前記ケーシング（7）で前記ファン室（12）と仕切って区画形成することによって、前記伝動機構（32,62,63）が配設される空間を介してファン室（12）の外部からファン室（12）内へ空気が流入するのを防止できる。
【００１１】
また、前記伝動機構収納室（16）を区画形成する前記ケーシング（7）は、前記ハウジング（11）に形成された開口（18b）に嵌め込まれるが、該ケーシング（7）のフランジ（713）と該開口（18b）の開口縁部（18a）とに跨ってシール部材（8）を貼付することによって、該ケーシング（7）とハウジング（11）の開口（18b）との隙間を介して外部からファン室（12）内へ空気が流入するのを防止できる。
【００１２】
ここで、ケーシング（7）と装置本体の開口（18b）との間をシールする別の構成としては、ハウジング（11）の開口（18b）の内周部にシール部材（8）を貼付し、ケーシング（7）の外周面と開口（18b）の内周部との間をシールする構成（例えば、ハウジング（11）の開口縁にハウジング（11）内に屈曲して形成されるガイド部を設けると共に該ガイド部の内周面にシール部材（8）を貼付して、ケーシング（7）の外周面と該ガイド部の内周面との間をシールする構成（図５参照））が考えられる。しかしながら、このようにケーシング（7）の外周面とシールする構成ではケーシング（7）を挿通させる開口（18b）の大きさ（ガイド部の内周面の大きさ）がシール部材（8）を貼付した分だけ小さくなっており、ケーシング（7）をガイド部に嵌め込む際にシール部材（8）を押圧して変形させながら嵌め込む必要がある。つまり、ケーシング（7）を嵌め込む際にある程度の力を要し、非常に作業性が悪いものとなる。さらに、ケーシング（7）を嵌め込む際にシール部材（8）を損傷してしまう虞もある。
【００１３】
それに対して、本発明によれば、シール部材（8）を、ハウジング（11）の開口（18b）の内周部ではなく、ケーシング（7）のフランジ（713）と開口縁部（18a）とに跨って貼付することによって、ケーシング（7）と開口（18b）との間に隙間を設けることができるため、ケーシング（7）を開口（18b）に嵌め込む際の作業性を向上させることができると共に、ケーシング（7）を開口（18b）に嵌め込む際にシール部材（8）を損傷する虞もなくなる。
【００１４】
第２の発明は、第１の発明において、前記ファン（3）の吸込側には、熱交換器（2）が設けられているものとする。
【００１５】
前記の構成の場合、伝動機構（32,62,63）が配設される空間及びケーシング（7）とハウジング（11）の開口（18b）との隙間を介して、ファン室（12）外部からファン室（12）内へ空気が流入することが防止されるため、前記ファン（3）が、前記熱交換器（2）を通過していない空気を吸い込むことを防止することができる。つまり、ファン（3）で吸い込む空気量に対して熱交換器（2）で熱交換される空気量が低下してしまうことを防止することができる。
【００１６】
第３の発明は、第１又は第２の発明において、前記ケーシング（7）の本体部（71）は、前記ハウジング（11）内方に凹陥し且つ該ハウジング（11）外方へ開口した箱形状をしており、前記ケーシング（7）は、該本体部（71）の開口を塞ぐ蓋部材（72）をさらに有し、前記蓋部材（72）は、前記シール部材（8）を前記フランジ（713）と挟持した状態で前記本体部（71）又はハウジング（11）に取り付けられるものとする。
【００１７】
前記の構成の場合、前記シール部材（8）は、前記ケーシング（7）のフランジ（713）とハウジング（11）の開口（18b）との間のシールだけでなく、前記ケーシング（7）の本体部（71）と蓋部材（72）との間のシールを行うことができる。その結果、１つのシール部材（8）で、ケーシング（7）と開口（18b）との間及びケーシング（7）の本体部（71）と蓋部材（72）との間という２箇所をシールすることができ、部品点数を削減することができる。
【発明の効果】
【００１８】
本発明によれば、前記ファン室（12）と前記伝動機構収納室（16）とを前記ケーシング（7）で仕切って区画形成することによって、前記伝動機構（32,62,63）が配設される空間を介してファン室（12）外部から空気が流入することを防止することができると共に、該ケーシング（7）のフランジ（713）と該開口（18b）の開口縁部（18a）とに跨ってシール部材（8）を貼付することによって、該ケーシング（7）とハウジング（11）の開口（18b）との隙間からファン室（12）へ空気が流入することを防止することができる。さらには、シール部材（8）をケーシング（7）のフランジ（713）とハウジング（11）の開口（18b）の開口縁部（18a）とに跨って貼付することによって、ケーシング（7）を開口（18b）に嵌め込む際の作業性を向上させることができると共に、ケーシング（7）を開口（18b）に嵌め込む際にシール部材（8）を損傷する虞をなくすことができる。
【００１９】
第２の発明によれば、熱交換器（2）の下流側に設けられたファン（3）が配設されるファン室（12）に外部から空気が流入することを防止することによって、熱交換器（2）を通過しない空気を吸い込んで熱交換量を低下させてしまうことを防止することができる。
【００２０】
第３の発明によれば、ケーシング（7）の蓋部材（72）を、前記シール部材（8）を前記フランジ（713）と挟持した状態で前記ケーシング（7）の本体部（71）又はハウジング（11）に取り付けることによって、ケーシング（7）の本体部（71）と蓋部材（72）との間のシール部材を、ケーシング（7）とハウジング（11）の開口（18b）の開口縁部（18a）との間をシールする前記シール部材（8）で兼用することができ、その結果、部品点数を削減することができる。
【発明を実施するための最良の形態】
【００２１】
以下、本発明の実施形態を図面に基づいて詳細に説明する。
【００２２】
図１、２は本発明の実施形態に係る舶用空気調和装置（以下、単に空気調和装置ともいう）を示す。この空気調和装置（1）は、船舶のデッキに載置され、外気を吸い込み、吸い込んだ外気を冷却して、船室等へ供給するものである。また、この空気調和装置（1）は、基台（10）と、基台（10）上に配設されたハウジング（11）とを備えていると共に、蒸発器（2）、ファン（3）、圧縮器（4）、凝縮器（5）、膨張弁（図示省略）、ファン用電動機（6）等の機器を備えている。
【００２３】
前記ハウジング（11）は、基台（10）上に組まれた支柱に外板部材を取り付けて構成され、略直方体形状をしている。すなわち、ハウジング（11）は、正面側の正面板（11a）、背面側の背面板（11b）、背面側から正面側を向いて左側の左側面板（11c）、背面側から正面側を向いて右側の右側面板（11d）、上側の上面板（11e）とを有している。これら各板（11a,11b,…）は概略矩形状をしている。そして、背面板（11b）には、後述するファン室（12）内へ外部から空気を吸い込むための吸込口（12a）が形成されていると共に、上面板（11e）にはファン室（12）内から外部へ空気を吹き出すための吹出口（12b）が形成されている。
【００２４】
尚、本明細書では便宜上、ハウジング（11）において、前記吸込口（12a）が形成された一側面を背面、該背面と対向する面を正面、背面側から正面側を向いて左側の面を左側面、背面側から正面側を向いて右側の面を右側面、前記吹出口（12b）が形成された面を上面と称呼する。
【００２５】
前記正面板（11a）は、ハウジング（11）の正面側において略上半分に設けられており、その下端縁には仕切板（14）が接続されている。この仕切板（14）は、正面板（11a）の下端縁から背面側へ向かって斜め下方に延び、正面板（11a）から背面側に向かってハウジング（11）の奥行きの略２／３の位置で鉛直下向きに屈曲して延びている。こうして、ハウジング（11）内の上側から背面側にかけて、正面板（11a）、背面板（11b）、左側面板（11c）、右側面板（11d）、上面板（11e）、基台（10）及び仕切板（14）に囲まれたファン室（12）が区画形成されている。このように区画形成されたファン室（12）は、吸込口（12a）及び吹出口（12b）以外からの空気の流入及び流出を防止するように気密に保持されている。
【００２６】
このファン室（12）内には、前記蒸発器（2）とファン（3）とが配設されている。
【００２７】
前記蒸発器（2）は、詳細構造を示していないが、プレートフィンコイル型の空気熱交換器であって、前記吸込口（12a）を塞ぐようにファン室（12）の背面側に配設されている。また、ハウジング（11）の背面板（11b）には、吸込口（12a）を覆うようにエアフィルタ（15）が取り付けられている。つまり、吸込口（12a）からファン室（12）内に吸い込まれる空気は、まず、エアフィルタ（15）によって塵埃が除去され、その後、蒸発器（2）で冷却される。
【００２８】
前記ファン（3）は、ファンケーシング（30）内に配設されており、その回転軸（31）が左右方向に水平に延びている。この回転軸（31）は、ハウジング（11）内に設置されれた軸受部（31a,31a）によって回動自在に軸支されており、その一端部にはファン側プーリ（32）が取り付けられている。前記ファンケーシング（30）は、その吹出口がハウジング（11）の吹出口（12b）に接続されている。また、吹出口(12b）が形成された上面板（11e）には、船室（図示省略）まで延びるダクト（9）が取り付けられており、ファンケーシング（30）から吹き出される空気は吹出口（12b）を介して前記ダクト（9）へ送り込まれる。
【００２９】
一方、該ファン室（12）の下方且つ正面側には、機械配設スペース（13）が形成される。この機械配設スペース（13）は、上方及び背面側を前記仕切板（14）で区画され、左右両側面を左側面板（11c）及び右側面板（11d）で区画されていて、正面側に開放されている。この機械配設スペース（13）には、圧縮器（4）、凝縮器（5）、膨張弁、ファン用電動機（6）等が配設されている。
【００３０】
前記凝縮器（5）は、詳細構造を示していないが、汲み上げた海水と冷媒との間で熱交換を行う水熱交換器である。
【００３１】
前記ファン用電動機（6）は、その駆動軸（61）が前記ファン（3）の回転軸（31）と平行に延びており、駆動軸（61）の一端部には電動機側プーリ（62）が取り付けられている。
【００３２】
前記ファン（3）のファン側プーリ（32）とファン用電動機（6）の電動機側プーリ（62）とには、Ｖベルト（63）が巻き掛けられており、このＶベルト（63）を介してファン用電動機（6）の駆動力がファン（3）に伝えられるように構成されている。これらファン側プーリ（32）、電動機側プーリ（62）及びＶベルト（63）が伝動機構を構成する。
【００３３】
このように構成された空気調和装置（1）は、ファン用電動機（6）によってファン（3）を駆動して、ハウジング（11）の外部から吸込口（12a）を介してファン室（12）内に空気を吸い込む。このとき吸い込まれる空気は、エアフィルタ（15）を通過することによって塵埃が除去されると共に、蒸発器（2）を通過することによって冷却される。こうして、浄化及び冷却された空気はファン（3）に吸い込まれ、ファンケーシング（30）の吹出口から吹き出され、ダクト（9）を介して船室等へ供給される。
【００３４】
続いて、前記ファン側プーリ（32）、電動機側プーリ（62）及びＶベルト（63）を収納するベルト室（16）について説明する。前記ハウジング（11）の左側には、ファン室（12）と隣接し且つ該ファン室（12）から機械配設スペース（13）へはみ出したベルト室（16）が区画形成されている。このベルト室（16）が伝動機構収納室を構成する。
【００３５】
前記ベルト室（16）はハウジング（11）内に没入して設けられたケーシング（7）によって区画形成されている。このケーシング（7）は、一面が開口した箱形状のケーシング本体（71）と該ケーシング本体（71）の開口を塞ぐ蓋部材（72）（図４参照）とを備え、このケーシング（7）内にベルト室（16）が形成される。図３は、ケーシング本体（71）を示し、（ａ）図は正面図を、（ｂ）図は側面図をそれぞれ示す。
【００３６】
前記ケーシング本体（71）は、正面視五角形状の底板（711）と、底板（711）の周縁部から立設し、底板（711）を囲むように設けられた５つの周板（712,712,…）とを有している。
【００３７】
前記底板（711）には、ケーシング本体（71）をハウジング（11）に嵌め込んだときに、ファン（3）の回転軸（31）及びファン側プーリ（32）が挿通するファン用挿通孔（714）と、ファン用電動機（6）の駆動軸（61）及び電動機側プーリ（62）が挿通する電動機用挿通孔（715）とが貫通形成されている。さらに、底板（711）におけるファン用挿通孔（714）の周辺部には、後述する仕切板（716,716）を取り付けるための複数のタッピンねじ用の下孔（図示省略）が該ファン用挿通孔（714）を囲んで貫通形成されている。
【００３８】
また各周板（712）における、底板（711）と反対側、即ち開口側の端縁には、ケーシング本体（71）の外方へ屈曲して延びるフランジ（713）が設けられている。
【００３９】
一方、ハウジング（11）の左側面板（11c）には開口（17）が形成されている。この開口（17）は、ファン室（12）及び機械配設スペース（13）を左側面板（11c）においてハウジング（11）外部に開放している。そして、この開口（17）には、図４に示すように、その周縁に亘ってステー（18）が設けられている。ステー（18）は、左側面板（11c）と平行に延び且つ該左側面板（11c）の外側面に取り付けられる取付部（18a）と該取付部（18a）の内側端からハウジング（11）内方へ屈曲して延びる屈曲部（18b）とで構成され、断面Ｌ字形状をしている。このステー（18）の屈曲部（18b）によって前記ケーシング本体（71）が嵌め込まれる開口が形成され、ステー（18）の取付部（18ａ）が該開口の開口縁部を構成する。この屈曲部（18b）によって形成される開口は、ケーシング本体（71）の周板（712,712,…）で形成される五角形状よりも若干大きな五角形状となっている。
【００４０】
そして、前記ケーシング本体（71）は、図４に示すように、ステー（18）の屈曲部（18b）によって形成される開口に底板（711）がハウジング（11）内部、即ち、ファン室（12）内に位置するように嵌め込まれる。ケーシング本体（71)は、フランジ（713,713,…）がステー（18）に当接する位置まで該開口に嵌め込まれている。このとき、ケーシング本体（71）の周板（712,712,…）とステー（18）との間には隙間が設けられているため、ケーシング本体（71）をスムーズに嵌め込むことができる。
【００４１】
このとき、ファン側プーリ（32）及び電動機側プーリ（62）にはＶベルト（63）が巻き掛けられておらず、ファン側プーリ（32）及び電動機側プーリ（62）は、それぞれファン用挿通孔（714）及び電動機用挿通孔（715）を通過してケーシング本体（71）の内部、即ち、ベルト室（16）内に配置されるようになる。つまり、ファン用挿通孔（714）及び電動機用挿通孔（715）は、それぞれファン側プーリ（32）及び電動機側プーリ（62）が通過できる程度の内径を有している。
【００４２】
尚、仕切板（14）には、ファン室（12）及び機械配設スペース（13）に跨ってハウジング（11）内に没入するケーシング（7）が嵌り込むように切り欠かれた切欠部（図示省略）が形成されている。つまり、ケーシング（7）は、ファン側プーリ（32）だけでなく、電動機側プーリ（62）も収納するため、ファン室（12）から機械配設スペース（13）へはみ出している。このように、機械配設スペース（13）へはみ出すケーシング（7）をファン室（12）内へ没入させて設けるためには、ファン室（12）と機械配設スペース（13）とを仕切っている仕切板（14）に、ケーシング（7）との干渉を避けるための切欠部を設ける必要がある。ただし、仕切板（14）に切欠部を設けて該切欠部にケーシング（7）を嵌め込む構成においては、該切欠部とケーシング（7）との隙間を介して機械配設スペース（13）からファン室（12）内へ空気が流入する虞がある。そこで、該切欠部とケーシング本体（71）の底板（711）及び周板（712,712）との間にはシール部材（図示省略）を設け、該切欠部とケーシング（7）との隙間をシールしている。こうすることで、該切欠部とケーシング（7）との隙間を介して機械配設スペース（13）からファン室（12）へ空気が流入することを防止している。
【００４３】
前記ケーシング本体（71）がステー（18）の屈曲部（18b）によって形成される開口に嵌め込まれた後、フランジ（713,713,…）とステー（18）の取付部（18a）とに跨ってシール部材（8）が貼付される。こうすることで、ケーシング本体（71）と屈曲部（18b）によって形成された開口との隙間がシールされる。
【００４４】
また、前記ケーシング本体（71）が該開口に嵌め込まれた後には、仕切板（716,716）が、ファン用挿通孔（714）を塞ぐようにケーシング本体（71）の底板（711）に取り付けられる。この仕切板（716,716）は一対の板部材であって、各仕切板（716）にはファン（3）の回転軸（31）の外径よりも若干大きな内径を有する半円形状の切欠部（717）が形成されている（図３参照）。仕切板（716,716）は、切欠部（717,717）で回転軸（31）を囲むようにして底板（711）にタッピンねじによって取り付けられる。こうすることで、ベルト室（16）からファン室（12）内へ空気が流入することを可及的に抑制することができる。
【００４５】
こうして、仕切板（716,716）が取り付けられた後、ファン側プーリ（32）及び電動機側プーリ（62）にＶベルト（63）が巻き掛けられる。
【００４６】
そして、最後に、ケーシング（7）の蓋部材（72）が取り付けられる。この蓋部材（72）は、シール部材（8）をフランジ（713,713,…）とで挟持した状態でステー（18）に取り付けられる。
【００４７】
こうして、ハウジング（11）に左側面板（11c）の開口に嵌め込まれたケーシング（7）によって、ファン室（12）に隣接し且つ機械配設スペース（13）にはみ出したベルト室（16）が区画形成される。
【００４８】
−実施形態の効果−
前記実施形態によれば、ファン室（12）内にファン（3）が配設される一方、ファン室（12）外にファン用電動機（6）が配設された空気調和装置（1）において、ファン室（12）と隣接し且つ機械配設スペース（13）へはみ出しすベルト室（16）をケーシング（7）で該ファン室（12）と仕切って区画形成することによって、Ｖベルト（63）等の伝動機構が配設される空間を介して機械配設スペース（13）からファン室（12）内へ空気が流入することを防止することができる。
【００４９】
また、ケーシング（7）が嵌め込まれる左側面板（11c）の開口の開口縁部（ステー（18）の取付部（18a））と該ケーシング（7）のフランジ（713,713,…）とに跨ってシール部材（8）を貼付することによって、ベルト室（16）を区画形成するケーシング（7）をハウジング（11）に嵌め込む構成であっても、ケーシング（7）と開口（ステー（18）の屈曲部（18b））との隙間を介して外部からファン室（12）内へ空気が流入することを防止することができる。
【００５０】
このようにファン室（12）内に機械配設スペース（13）等の外部から空気が流入することを防止することによって、ファン（3）を駆動させるときには、背面板（11b）の吸込口（12a）以外から空気が流入することを防止することができる。その結果、蒸発器（2）を通過せずにファン室（12）内へ空気が流入することを防止することができ、ファン（3）によって吸い込む空気量に対する蒸発器（2）で冷却される空気量が低下する、即ち熱交換量が低下することを防止することができる。
【００５１】
また、ケーシング（7）をハウジング（11）の開口（屈曲部（18b））に嵌め込んだ後に、フランジ（713,713,…）の上から該フランジ（713,713,…）とステー（18）の取付部（18a）とに跨ってシール部材（8）を貼付することによって、ケーシング（7）を開口（屈曲部（18b））に嵌め込むときの作業性を向上させることができる。つまり、ケーシング（7）と開口（屈曲部（18b））との間をシールする構成としては、図５に示す比較例のように、ステー（18）の屈曲部（18b）の内周面にシール部材（81）を貼付して、ステー（18）の内方へ延びるガイド部分の内周面とケーシング（7）の外周面との間をシール部材（81）でシールする構成が考えられる。しかしながら、かかる構成では、ケーシング（7）を嵌め込んだときに該ケーシング（7）の外周面とのシールを確実にするために、シール部材（81）が貼付された後の屈曲部（18b）の開口の大きさは、ケーシング（7）の周板（712,712,…）で形成される五角形状よりも若干小さくなっている。そのため、ケーシング（7）を嵌め込むときには、シール部材（81）を押圧して変形させながら嵌め込まなければならず、ケーシング（7）の嵌め込み作業に力を要し、作業性が悪い。また、ケーシング（7）を嵌め込むときに、シール部材（81）を損傷してしまう虞もある。ところが、本実施形態によれば、ケーシング（7）の外周面とステー（18）の屈曲部（18b）の内周面との間ではなく、ケーシング（7）のフランジ（713,713,…）とステー（18）の取付部（18a）とに跨ってシール部材（8）を貼付するため、ケーシング（7）を嵌め込む際にはシール部材（8）が貼付されておらず、ケーシング（7）を嵌め込んだ後にシール部材（8）を貼付することになる。その結果、ケーシング（7）をスムーズに嵌め込むことができると共に、シール部材（8）を損傷する虞をなくすことができる。
【００５２】
さらに、ケーシング（7）とステー（18）との間の他に、ケーシング（7）のケーシング本体（71）と蓋部材（72）との間もシールする必要があるが、比較例では、ケーシング（7）とステー（18）の屈曲部（18b）との間はシール部材（81）で、ケーシング本体（71）と蓋部材（72）との間はステー（18）の取付部（18a）に貼付された別のシール部材（82）でシールしている。ところが、本実施形態によれば、ケーシング（7）のフランジ（713,713,…）とステー（18）の取付部（18a）とに跨って貼付されたシール部材（8）によって、ケーシング本体（71）と蓋部材（72）との間もシールすることができるため、シール部材を共通化させて、部品点数を削減することができる。
【００５３】
《その他の実施形態》
本発明は、前記実施形態について、以下のような構成としてもよい。
【００５４】
前記実施形態では、蒸発器（2）をファン室（12）内に配設し、エアフィルタ（15）をファン室（12）外に配設しているが、これに限られるものではない。つまり、ファン室（12）内にはファン（3）が配設されていればよく、蒸発器(2)及びエアフィルタ（15）を共に、吸込口（12a）の上流側、即ちファン室（12）外に配設してもよく、または、吸込口（12a）の下流側、即ちファン室（12）内に配設してもよい。
【００５５】
また、前記実施形態では、ハウジング（11）の左側面板（11c）に形成された開口（17）の周縁に亘ってステー（18）を設け、このステー（18）の屈曲部（18b）によってケーシング（7）を嵌め込む開口を構成すると共にステー（18）の取付部（18a）によって該開口の開口縁部を構成しているが、これに限られるものではない。すなわち、必ずしもステー（18）を設ける必要はなく、ステー（18）を設けていない左側面板（11c）の開口（17）にケーシング（7）を嵌め込む構成であってもよい。かかる場合、ケーシング（7）のフランジ（713,713,…）は左側面板（11c）に形成された開口（17）の開口縁部と当接することになる。つまり、開口（17）がケーシング（7）を嵌め込む開口を構成し、該開口（17）の開口縁部がフランジ（713,713,…）が当接する開口縁部を構成する。
【００５６】
さらに、前記実施形態では、空気調和装置（1）は冷房専用に構成されているが、ファン（3）の上流側には、蒸発器（2）ではなく、凝縮器（5）を設けて暖房専用に構成されるものであってもよく、または、冷房及び暖房を切替可能な空気調和装置（1）であってもよい。
【００５７】
また、前記実施形態では、ファン用電動機（6）は、仕切板（14）や左右の側面板（11c,11d）で囲まれた機械配設スペース（13）に配設されているが、ファン室（12）の外部であれば、どこに配設されていてもよい。かかる場合、ベルト室（16）を区画形成するケーシング（7）はファン室（12）内から機械配設スペース（13）へはみ出すのではなく、ファン室（12）内からファン用電動機（6）が配設されている空間側へはみ出すことになる。
【００５８】
さらに、前記実施形態では、シール部材（8）で、ケーシング（7）のフランジ（713,713,…）と開口（17）の開口縁部との間をシールすると共に、ケーシング本体（71）と蓋部材（72）との間をシールしているが、必ずしもこれに限られるものではなく、それぞれ別のシール部材でシールするように構成してもよい。ただし、本実施形態のように、１つのシール部材（8）で両方の隙間をシールする構成の方が部品点数を削減できるため好ましい。
【００５９】
また、前記実施形態では、ファン用電動機（6）の駆動力を、電動機側プーリ（62）、Ｖベルト（63）及びファン側プーリ（32）を介して、ファン（3）に伝達させているが、これに限られるものではない。例えば、ファン用電動機（6）の駆動軸（61）とファン（3）の回転軸（31）との間を複数の歯車で構成されたギヤ列で連結する構成でもよく、または、駆動軸（61）に設けられたスプロケットと回転軸（31）に設けられたスプロケットとにチェーンを巻き掛けて連結する構成であってもよい。
【００６０】
なお、以上の実施形態は、本質的に好ましい例示であって、本発明、その適用物、あるいはその用途の範囲を制限することを意図するものではない。
【産業上の利用可能性】
【００６１】
以上説明したように、本発明は、ファン室内に配設されるファンとファン室外に配設されるファン用電動機とを備える空気調和装置について有用である。
【図面の簡単な説明】
【００６２】
【図１】本発明の実施形態に係る空気調和装置の側面図である。
【図２】空気調和装置の正面図である。
【図３】ケーシングを示す図であり、（ａ）は正面図を、（ｂ）は側面図を示す。
【図４】図１のIV−IV線における断面図である。
【図５】比較例に係る空気調和装置の図４に対応する断面図である。
【符号の説明】
【００６３】
１      空気調和装置
１１    ハウジング
１２    ファン室
１６    ベルト室（伝動機構収納室）
１７    開口
１８    ステー（開口縁部）
２      蒸発器（利用側熱交換器）
３      ファン
３１    回転軸
３２    ファン側プーリ（伝動機構）
６      ファン用電動機
６１    駆動軸
６２    電動機側プーリ（伝動機構）
６３    Ｖベルト（伝動機構）
７      ケーシング
７１    ケーシング本体（本体部）
７２    蓋部材
７１３  フランジ
８      シール部材
【図１】
2008008543.tif 000003
【図２】
2008008543.tif 000004
【図３】
2008008543.tif 000005
【図４】
2008008543.tif 000006
【図５】
2008008543.tif 000007